(57)【要約】      （修正有）【課題】紙葉ホルダを形成する表・裏シートを利用して紙葉固定手段とし、更に、紙葉を収納した状態で持ち運び、整理、保管の機能の他、その内容を確認できる冊子機能を持ち、紙葉ホルダから固定状態を解除することにより一枚一枚の分離した紙葉を得ることのできる紙葉ホルダを提供する。【解決手段】１枚のシート１を折り曲げ又は２枚のシート１を重ねて少なくとも表シート２及び裏シート３を形成し、折り曲げ又は重ねて連続状態の側縁部を閉鎖部４、閉鎖部に対向する側縁部側を開放状態の開放部５とし、閉鎖部の側縁部から開放部に向けて表・裏シートのいずれか或いはその双方に閉鎖部側の側縁部の一部を非切断部の基部とし、所定幅と所定長を有して開放部側へ延出してその周辺部をシートと切断又は分離可能に形成した紙葉固定片６を閉鎖部側に適宜間隔をもって複数形成し、紙葉固定片を紙葉の着脱自在の固定手段としてなる紙葉ホルダ。【選択図】図１
2013166249.tif 000002
【特許請求の範囲】
【請求項１】
１枚のシートを折り曲げ又は２枚のシートを重ねて少なくとも表シート及び裏シートを形成し、折り曲げ又は重ねて連続状態の側縁部を閉鎖部、該閉鎖部に対向する側縁部側を開放状態の開放部とした紙葉ホルダにおいて、該閉鎖部の側縁部から該開放部に向けて該表・裏シートのいずれか或いはその双方に該閉鎖部側の側縁部の一部を非切断部の基部とし、所定幅と所定長を有して開放部側へ延出してその周辺部を該シートと切断又は分離可能に形成した紙葉固定片を該閉鎖部側に適宜間隔をもって複数形成し、該紙葉固定片を紙葉の着脱自在の固定手段としてなることを特徴とする紙葉ホルダ。
【請求項２】
表シート及び裏シート間に背表紙を設け、該背表紙側を閉鎖部とし、該閉鎖部の表シート又は裏シートのいずれか或いはその双方に紙葉固定片を形成したことを特徴とする請求項１記載の紙葉ホルダ。
【請求項３】
紙葉固定片に縦方向の折り目を設けたことを特徴とする請求項２記載の紙葉ホルダ。
【請求項４】
紙葉固定片の着脱自在の固定手段は、該紙葉固定片の表面又は裏面或いは表・裏面に設けた貼着層としてなることを特徴とする請求項１乃至３のいずれか記載の紙葉ホルダ。
【請求項５】
貼着層の表面に剥離紙を付着してなることを特徴とする請求項４記載の紙葉ホルダ。
【請求項６】
剥離紙は、シートの色と異なる様々な色を採用してなることを特徴とする請求項５記載の紙葉ホルダ。
【請求項７】
紙葉固定片の着脱自在の固定手段は、該紙葉固定片の小面積領域に設けた貼着層としたことを特徴とする請求項１乃至３のいずれか記載の紙葉ホルダ。
【請求項８】
紙葉固定片の着脱自在の固定手段は、紙葉を貫通する固定具としたことを特徴とする請求項１乃至３のいずれか記載の紙葉ホルダ。
【請求項９】
紙葉固定片は、適宜箇所に切れ目を設けて小片を形成し、その切れ目及び小片を紙葉挟持手段としてなることを特徴とする請求項１乃至３のいずれか記載の紙葉ホルダ。
【請求項１０】
紙葉固定片は、長方形状、円形状、楕円形状、台形状、多角形状又はそれらの組み合わせ等からなることを特徴とする請求項１乃至９のいずれか記載の紙葉ホルダ。
【請求項１１】
分離可能手段は、ミシン目とし、必要に応じて表・裏シートより適宜分離できることを特徴とする請求項１乃至１０のいずれか記載の紙葉ホルダ。
【請求項１２】
シートは、透明又は半透明の可撓性のある材料としたことを特徴とする請求項１乃至１１のいずれか記載の紙葉ホルダ。
【発明の詳細な説明】
【技術分野】
【０００１】
本発明は、紙葉を挟む表シート及び裏シートの連続側となる閉鎖部側に当該シートより形成した紙葉固定片を設け、複数枚の紙葉を各々着脱自在に固定してなる紙葉ホルダに関する。
【背景技術】
【０００２】
従来より、合成樹脂製又は紙製等の材料よりなる表シート及び裏シート間に紙葉を挟んで持ち運び又は整理、保管するための透明又は半透明の紙葉ホルダが広く使用されている。例えば、１枚の矩形状の広幅のシートをその中心部で折り曲げて重ね合わせ、表シートと裏シートを形成し、折り曲げ部と連続する表・裏シートの重ね合わさったシートの下縁部を溶着、超音波等の各種接合手段により連結して該折り曲げ部と下縁部とにより」字形の閉鎖部を形成し、残りの「字形の２縁部を開放し、紙葉を出し入れできるクリアホルダ又はクリアファイル等と称する紙葉ホルダが知られている。また、表・裏シートのいずれかのシートの開放部側を閉鎖部側へ折り返し、その下縁部を閉鎖して袋状の紙葉収納部とした紙葉ホルダも知られている。
【０００３】
上記のように、従来の紙葉ホルダは、収納する紙葉の脱落防止のためにシートの閉鎖部以外の下縁部や袋体を形成するために開放部側の縁部等を適宜接合手段により閉鎖する必要があった。しかし、表・裏シート間に挟み込んだ紙葉は固定されていないため、紙葉ホルダの収納状況によって開放部側の縁部から脱落するという問題が生じていた。その脱落防止のため、開放部に蓋を設け、その蓋を閉鎖することで紙葉の脱落を防止する紙葉ホルダや、表・裏シートの閉鎖部や上端部等に紙葉を保持するための固定手段を設けた紙葉ホルダ等が見受けられる。
【０００４】
上記紙葉を保持するための固定手段としては、シートに別体の固定手段を設ける必要があり、金属製や合成樹脂製の部品を別途用意し、且つそれら固定手段となる部品をシートに定着しなければならなかった。
【０００５】
他方、表・裏シートの閉鎖部となる側縁部から所定幅と所定長をもって表・裏シートの一部を切断して舌片を設けた紙葉ホルダが存在するが、下記する文献のように、該舌片は外方へ起立させて引き出しやフォルダのためのつまみ片としたり、インデックス部としたりするものであり、複数形成する構成はないし、紙葉の固定手段とするものではなかった。
【先行技術文献】
【特許文献】
【０００６】
【特許文献１】特開２００６−３１２２９４号公報
【発明の概要】
【発明が解決しようとする課題】
【０００７】
上記した従来の表・裏シート間に紙葉を挟み込む構造の紙葉ホルダは、少なくとも１縁部、場合によっては２縁部を溶着、超音波等の接合手段によって閉鎖しなくてはならず、その手間が大変であったのと同時に、紙葉の出入部となる開放されている縁部から挟み込んだ紙葉が脱落するおそれがあった。
【０００８】
また、開放部側の縁部を折り返して紙葉を収納する袋体を形成するものにあっても、該袋体の下縁部を閉鎖する必要があり、更に、使用するシート量が増加し、材料コストが増大するという欠点があった。
【０００９】
また、各紙葉の内容を表・裏シート間に挟み込んだ一枚一枚をめくり送りするにはそれら紙葉に穴を穿孔して別途金具によりシート間に固定したり、バネ状の別途金具により紙葉を押え込んだり、又は予め数枚の紙葉をホチキス等の係止手段により冊子状に束ねて固定してから収納するか或いは予め紙葉の背部を糊付けする等して製本状にしたものを収納しない以上、一枚一枚がバラバラであり、紙葉ホルダよりそれら紙葉を取り出す必要があり、該紙葉ホルダは紙葉の持ち運び又は整理、保管する手段として使用され、冊子としての機能はなかった。
【００１０】
他方、表・裏シート間に紙葉を固定したり押え込んだりするためには、上記のように、別途の固定手段を用意し、それらを該表・裏シートのいずれかに定着する必要があり、コスト高の原因となっていた。
【００１１】
本発明は、上述した従来の問題点を解決したもので、紙葉の一枚一枚を表・裏シート間に固定することができ、その固定も金具等の別途の手段を用いることなく、紙葉ホルダを形成する表・裏シートを利用して紙葉固定手段とすることができ、更に、紙葉を収納した状態で持ち運び、整理、保管の機能の他、一枚一枚の紙葉をめくり送りしてその内容を確認できる冊子機能を持つこともでき、更に、紙葉に孔や切り取り部等の欠損を生じさせることなく紙葉ホルダから固定状態を解除することにより一枚一枚の分離した紙葉を得ることのできる紙葉ホルダを提供するものである。
【課題を解決するための手段】
【００１２】
本発明は、１枚のシートを折り曲げ又は２枚のシートを重ねて少なくとも表シート及び裏シートを形成し、折り曲げ又は重ねて連続状態の側縁部を閉鎖部、該閉鎖部に対向する側縁部側を開放状態の開放部とした紙葉ホルダにおいて、該閉鎖部の側縁部から該開放部に向けて該表・裏シートのいずれか或いはその双方に該閉鎖部側の側縁部の一部を非切断部の基部とし、所定幅と所定長を有して開放部側へ延出してその周辺部を該シートと切断又は分離可能に形成した紙葉固定片を該閉鎖部側に適宜間隔をもって複数形成し、該紙葉固定片を紙葉の着脱自在の固定手段としてなる紙葉ホルダを特徴とする。
【００１３】
また、上記表シート及び裏シート間に背表紙を設け、該背表紙側を閉鎖部とし、該閉鎖部の表シート又は裏シートのいずれか或いはその双方に紙葉固定片を形成した紙葉ホルダを特徴とする。
【００１４】
更に、上記紙葉固定片に縦方向の折り目を設けた紙葉ホルダを特徴とする。
【００１５】
また、上記紙葉固定片の着脱自在の固定手段は、該紙葉固定片の表面又は裏面或いは表・裏面に設けた貼着層としてなる紙葉ホルダを特徴とする。
【００１６】
更に、上記貼着層の表面に剥離紙を付着してなる紙葉ホルダを特徴とする。
【００１７】
また、上記剥離紙は、シートの色と異なる様々な色を採用してなる紙葉ホルダを特徴とする。
【００１８】
更に、上記紙葉固定片の着脱自在の固定手段は、該紙葉固定片の小面積領域に設けた貼着層とした紙葉ホルダを特徴とする。
【００１９】
また、上記紙葉固定片の着脱自在の固定手段は、紙葉を貫通する固定具とした紙葉ホルダを特徴とする。
【００２０】
更に、上記紙葉固定片は、適宜箇所に切れ目を設けて小片を形成し、その切れ目及び小片を紙葉挟持手段としてなる紙葉ホルダを特徴とする。
【００２１】
また、上記紙葉固定片は、長方形状、円形状、楕円形状、台形状、多角形状又はそれらの組み合わせ等からなる紙葉ホルダを特徴とする。
【００２２】
更に、上記分離可能手段は、ミシン目とし、必要に応じて表・裏シートより適宜分離できる紙葉ホルダを特徴とする。
【００２３】
また、上記シートは、透明又は半透明の可撓性のある材料とした紙葉ホルダを特徴とする。
【発明の効果】
【００２４】
本発明の紙葉ホルダは、表・裏シートの閉鎖部側の一部を切断して紙葉固定片とし、該紙葉固定片により複数枚の紙葉を一枚一枚着脱自在に簡易保持することができ、表・裏シート間に収納された紙葉は紙葉ホルダより脱落することがなくなった。
【００２５】
また、本発明の紙葉ホルダは、紙葉の一枚一枚を紙葉ホルダに固定した状態で保持することができるので、製本された冊子と同様、一枚一枚をめくりながら紙葉の内容を確認することが可能となった。
【００２６】
更に、紙葉固定片には紙葉に欠損を生じさせることのない着脱自在な貼着層又は着脱自在な固定手段としているので、紙葉ホルダによる収納の終了後は各紙葉を該貼着層や他の固定手段より脱着し、別途適宜手段による再ファイルや綴じ込み等の保管手段への移行或いはコピーや配布手段等の様々な利用形態への移行等が可能となった。
【図面の簡単な説明】
【００２７】
【図１】本発明の紙葉ホルダの斜視図。
【図２】本発明の紙葉ホルダにおける紙葉貼着片の拡大斜視図。
【図３】本発明の紙葉ホルダの他の実施例の斜視図。
【図４】本発明の紙葉ホルダにおける紙葉貼着片の様々な形態を示す正面図。
【図５】本発明の紙葉ホルダに紙葉を固定した状態を示す斜視図。
【図６】本発明の紙葉ホルダの他の実施例の展開図。
【図７】（ａ）、（ｂ）本発明の紙葉ホルダの他の実施例の展開図。
【発明を実施するための形態】
【００２８】
以下、本発明の実施の形態を図面に基づいて説明する。
【実施例１】
【００２９】
図１に示すように、１枚の幅広のシート１の中央を折り曲げ又は２枚の同じ大きさのシート１を重ねて表シート２と裏シート３とを形成し、折り曲げ側又は重ねて連続した側となる側縁部側を閉鎖部４とし、該閉鎖部４に対向する側縁部側を開放部５とし、該閉鎖部４の側縁部から該開放部５に向けて該表・裏シート２、３のいずれか或いはその双方に縦方向に所定幅Ｔを有し、横方向に一定長Ｗを有して開放部５側へ延出した紙葉固定片６を形成している。
【００３０】
該紙葉固定片６は、該閉鎖部４の側縁部を所定幅Ｔとなる非切断部とし、横方向に所定長Ｗを有して開放部５側へ延出した上下位置及びその先端側を連結する縦方向位置に切断部７を連続形成し、該閉鎖部４の側縁部側の非切断部を基部８とし、全体として基部８を基端とした表・裏シート２、３の面方向に対して折り曲げ自在な舌片としている。該紙葉固定片６は、適宜間隔をもって該閉鎖部４側の縦方向にわたって複数形成し、該紙葉固定片６には紙葉Ａを着脱自在に固定可能とするための固定手段としている。
【００３１】
該切断部７は、予め切断しておいてもよいし、ミシン目のような状態としておき、必要に応じてシート１より切り離しができるようにしておくことができる。また、該ミシン目も一部を切断部とし、切り離しが容易となるようにしておくことができる。
【００３２】
図２に示したものは、紙葉固定片６の固定手段として貼着層９を設けた実施例を示している。該貼着層９は、紙葉固定片６の表面又は裏面或いはその双方に粘着性が少なく接着力の弱い接着手段を設けている。紙葉Ａが着脱自在となるように貼着することができ、未使用状態ではその上面に剥離紙１０を貼着しておき、使用時に必要となる紙葉Ａの枚数に応じて剥離紙１０を剥がして使用することになる。接着力が弱く、着脱自在の貼着層としてはスリーエムカンパニーの開発したポスト・イット（登録商標）のような材料を使用することができる。
【００３３】
上記貼着層９及び剥離紙１０は、該紙葉固定片６の１枚１枚毎に設けることもできるが、製造時の効率化のため、図３に示すように、シートの閉鎖部４となる側縁部側から紙葉固定片６の突出長先端側までとなる所定幅Ｗをもってシートの上下にわたって全体に貼着層９を設け、その上面全体に剥離紙１０を貼着している。剥離紙１０には紙葉固定片６の輪郭と同様の切断部を設けておくことになる。
【００３４】
該剥離紙１０として様々なカラーのものを使用することにより紙葉ホルダに収納された紙葉Ａの種類を区別する手段とすることができる。紙葉Ａの固定枚数に応じて予め分離形成されている適宜箇所の紙葉固定片６又はミシン目により連結されている状態の紙葉固定片６周囲のミシン目に沿って切断し、該紙葉固定片６上の剥離紙１０を除去すれば使用状態とすることができる。従って、未使用の紙葉固定片６及び紙葉固定片６間の部分はカラーの剥離紙１０がそのまま残ることになる。
【００３５】
紙葉固定片６の該貼着層９としては該紙葉固定片６の表面又は裏面或いはその双方の全面の他、スポット状に設けることも可能である。接着力の比較的強いものであってもそれがスポット状態であれば紙葉Ａの取り剥がしも容易であり且つ紙葉Ａに損傷を与えることも少なくてすむことになる。この場合、該小面積となる貼着層９にのみに剥離紙１０を設けて対応することできるし、剥離紙１０を設けなくてすむ感圧性接着剤等の外部からの圧力や熱等の刺激により接着機能が生じるものでもよい。
【００３６】
また、固定手段としてホチキス止めのような機械的な係着手段とし、該紙葉固定片６と紙葉Ａとを重ねて固定することも可能である。例えば、ホチキス止めの場合には、紙葉Ａに針穴が生じるが、紙葉の損傷までには至らず、紙葉Ａの再利用に支障をきたすことはない。
【００３７】
該紙葉固定片６の突出長が長い場合等には、該紙葉固定片６を透明又は半透明とすることにより、紙葉Ａに記されている文字や図形等が隠蔽されないようにすることができ、その場合は、シート１全体を透明又は半透明とすることになる。
【００３８】
また、表シート２を透明又は半透明とすることにより、表シート２の裏側に位置する第１番目の紙葉Ａをタイトルを付与した紙葉Ａとすることができ、それを外側から可視することが可能となり、薄いシート状の背表紙のない紙葉ホルダにとって表シート２にタイトル等の見出しを設ける必要を省略することが可能となり、外側から内側の紙葉Ａによりタイトル確認をすることができる。
【００３９】
また、紙葉ホルダの材料は、紙製又は紙に合成樹脂材料をコーティングした薄手のもの或いはポリプロピレン、ポリエステル、ポリエチレン、アクリル等の可撓性のある材料とすることにより、表・裏シート２、３の手めくりを容易とすることができる。
【００４０】
また、該紙葉固定片６に設ける貼着層９は、片面側だけでもよいが、必要に応じてその両面に設けることもでき、より多くの紙葉Ａを保持することができる。特に、紙葉Ａの片面のみに印刷物が施され、裏面側が白紙の場合は、該紙葉固定片６の両面に貼着層が設けられたものの方が効率的な収納形態となる。
【００４１】
図５は、本発明の紙葉ホルダの紙葉固定片６に一枚一枚の紙葉Ａを着脱自在に固定した状態の斜視図を示している。図５では、上方の紙葉固定片６から下方の紙葉固定片６へと順次紙葉Ａを固定しているが、固定の順序は適宜自由に変えることができる。
【実施例２】
【００４２】
該紙葉固定片６の形状は、図４のＢ乃至Ｉに示すように、長方形状、円形状、楕円形状、台形状、多角形状又はそれらの組み合わせ等の様々な形状のものが使用でき、紙葉Ａを保持するための所定幅Ｔと所定長Ｗが得られ、且つ所定の紙葉Ａが脱落することのないある程度の貼着面積が得られれば、幅が長くて突出長が短いもの、幅が狭くて突出長が長いもの等の様々な形状のものを採用することができる。
【実施例３】
【００４３】
図４Ｊ、Ｋは、紙葉固定片１１の他の実施例を示すものである。上記実施例１、２の貼着層に替えて紙葉係止手段を設けたものである。図４Ｊは、縦方向に長尺とし或いは横方向にも突出長を長くした紙葉固定片１１の横方向に切れ目１２を設けている。切れ目１２を適数個設けることによりいくつかの小片が形成され、隣接する小片を紙葉Ａの表面側及び裏面側へ交互に位置させてその切れ目１２間に紙葉Ａを挟み込むことにより該紙葉Ａを固定できるようにしたものである。
【００４４】
また、図４Ｋは、縦方向に長尺とし或いは横方向にも突出長を長くした紙葉固定片１１で、内側固定片１３及び外側固定片１４を各々切断して設け、その突出先端側に凹凸状等の押圧片を設け、その押圧片間に紙葉Ａを挟み込むことにより紙葉Ａを固定するものである。上記実施例１、２と同様の効果の他、シートを切断するだけの工程で紙葉固定手段を得ることが可能となる。
【実施例４】
【００４５】
図６は、表シート２と裏シート３間に背表紙１５を設けた実施例である。この場合、表シート２における紙葉固定片１６ａと裏シート３における紙葉固定片１６ｂとを、背表紙１５の縦方向中央部で振り分け配置している。閉鎖部となる背表紙１５側の左右の側縁部に各々非切断部となる基部１７ａ、１７ｂを設け、該基部１７ａ、１７ｂを紙葉固定片１６ａ、１６ｂの基端とした表・裏シート２、３の面方向に対して折り曲げ自在な舌片としている。紙葉Ａは、表シート２及び裏シート３側の双方より固定収納することができ、該紙葉Ａを背表紙１５の幅に応じて均等或いは均等に近い状態で固定することができる。
【００４６】
該背表紙１５を設けることでより多くの紙葉Ａを収納することが可能となる。該紙葉Ａの固定手段や紙葉固定片１６ａ、１６ｂの形状等は上記実施例と同様のものを採用することができる。
【実施例５】
【００４７】
図７は、上記同様、表シート２と裏シート３間に背表紙１５を設けた実施例で、この場合、表シート２又は裏シート３の各々に単独或いは振り分けて紙葉固定片１８ａ、１８ｂを配置している。紙葉固定片１８ａ、１８ｂは、背表紙１５の左右の側縁部に非切断部となる基部１９ａ、１９ｂを設け、該基部１９ａ、１９ｂを基端とした表・裏シート２、３の面方向に対して折り曲げ自在な舌片としている。
【００４８】
図７ａ（ａ）は、表シート２側にのみ紙葉固定片１８ａを設けたものであるが、該紙葉固定片１８ａに縦方向の折り目２０を設けている。該折り目２０の位置は、背表紙１５の上方から下方にかけて基部１９ａとなる側縁部側から開放部側へ順次離れる方向に設け、最下方部における折り目２０の位置をほぼ背表紙１５の幅とすることにより、紙葉Ａを表シート２及び裏シート３間に均等な配置状態で各種固定手段により固定することができる。
【００４９】
図７（ｂ）は、紙葉固定片１８ａ、１８ｂの形成位置を背表紙１５の縦方向の中央部で表シート２及び裏シート３側に振り分け配置している。表シート２における折り目２０の位置は、背表紙１５の上方から下方にかけて基部１９ａとなる側縁部側から開放部側へ順次離れる方向に設け、中央部となる最下方部の折り目２０の位置を背表紙１５の幅の約半分となる位置とし、裏シート３においては、最上方部を背表紙１５の約半分の幅の折り目２０の位置でスタートし、最下方部で基部１９ｂの位置となるようにしている。
【００５０】
上記折り目２０は、ミシン目状としたり、箇所表示のみとしたり、折り曲げし易い適宜対応が考えられる。また、紙葉Ａの紙葉固定片１６ａ、１６ｂ、１８ａ、１８ｂとの固定手段や該紙葉固定片１６ａ、１６ｂ、１８ａ、１８ｂの形状等は、上記実施例と同様のものを採用することができる。更に、上記各実施例１乃至５のものを適宜組み合わせて他の実施例とすることも可能である。
【符号の説明】
【００５１】
Ａ                                          紙葉
１                                          シート
２                                          表シート
３                                          裏シート
４                                          閉鎖部
５                                          開放部
６、１１、１６ａ、１６ｂ、１８ａ、１８ｂ    紙葉固定片
７                                          切断部
８、１７ａ、１７ｂ、１９ａ、１９ｂ          基部
９                                          貼着層
１０                                        剥離紙
１２                                        切れ目
１３                                        内側固定片
１４                                        外側固定片
１５                                        背表紙
２０                                        折り目
【図１】
2013166249.tif 000003
【図２】
2013166249.tif 000004
【図３】
2013166249.tif 000005
【図４】
2013166249.tif 000006
【図５】
2013166249.tif 000007
【図６】
2013166249.tif 000008
【図７】
2013166249.tif 000009